(57)【要約】【課題】感熱体を備え、且つその保護部材を備えた感知ヘッドであって、要求される感知性能を十分に保持しつつ、感熱体を十分に保護することができる感知ヘッドを得る。【解決手段】感熱体１５を支持する支持部１６を有する複数のアーム１７，１７とを備えた感知ヘッド１０において、正面視で該複数のアーム１７，１７間に配置され、該感熱体１５を外力から保護する保護板１−１であって、該感熱体１５の長さ方向に沿って延設される第１保護板２−１を含む保護板１−１を設ける。【選択図】図１
2007244576.tif 000002
【特許請求の範囲】
【請求項１】
放水口を有するヘッド本体と、該放水口を塞ぐ弁体と、該弁体を支持し、火災時の熱により破裂又は溶融する感熱体と、該ヘッド本体に接続され、該感熱体を支持する支持部を有する複数のアームとを備えた感知ヘッドにおいて、正面視で該複数のアーム間に配置され、該感熱体を外力から保護する保護板であって、該感熱体の長さ方向に沿って延設される第１保護板を含む保護板を設けたことを特徴とする感知ヘッド。
【請求項２】
該保護板は、該感熱体を間に対向して一対設けられるものであることを特徴とする請求項１記載の感知ヘッド。
【請求項３】
該保護板は、該感熱体の長さ方向に対し傾斜して延設される第２保護板を更に含むものであることを特徴とする請求項１又は２記載の感知ヘッド。
【請求項４】
該保護板は、固定部により感知ヘッドの先端部に固定されるものであることを特徴とする請求項１乃至３の何れかに記載の感知ヘッド。
【請求項５】
該保護板を固定する固定部には、感知ヘッドの先端部を保護する先端保護板が設けられるものであることを特徴とする請求項４記載の感知ヘッド。
【請求項６】
該一対の保護板は、固定部を介して連続して設けられるものであることを特徴とする請求項２乃至５の何れかに記載の感知ヘッド。
【請求項７】
該固定部には第１の挿通部が設けられ、該第１の挿通部は、該感知ヘッドの先端部に設けられた先端凸部が挿通されると共に、その挿通縁が該先端凸部にカシメ付けられていることを特徴とする請求項４乃至６の何れかに記載の感知ヘッド。
【請求項８】
該保護板は、該ヘッド本体と該アームとの接続部分に設けられたフランジ部の側面に当接する当接部を有し、該当接部は、該フランジ部の側面に形成された側方凸部が挿通される第２の挿通部を有し、そして、該第２の挿通部は該側方凸部と嵌合するものであることを特徴とする請求項１乃至７の何れかに記載の感知ヘッド。
【発明の詳細な説明】
【技術分野】
【０００１】
この発明は、感熱体を備えた感知ヘッドに関する。
【背景技術】
【０００２】
感知ヘッドは、特開平１０−２７２２０４号公報（特許文献１）に開示される様に、一斉開放弁を備えた消火設備に用いられるものである。この感知ヘッドは消火用ヘッドを利用するのが一般的である。
【０００３】
【特許文献１】特開平１０−２７２２０４号公報
【０００４】
消火用ヘッドには、散水口を塞ぐ弁体を支持し、火災時の熱により破裂又は溶融する感熱体を備えたものがある。この感熱体を備えた消火用ヘッドも感知ヘッドとして利用可能である。
【０００５】
感熱体を備えた消火用ヘッドについて、特開２００１−３４０４８１号公報（特許文献２）には、その感熱体を外力から保護するために、感熱体の外周をリング状に覆う保護部材（覆い壁３）を備えたものが開示されている。
【０００６】
しかしながら、特許文献２に開示の消火用ヘッドは、消火用ヘッドとしての利用を前提とするものであり、消火用ヘッドに要求される散水性能を保持しつつ、感熱体を保護しようとするものであるので、その感熱体の保護機能は十分なものとはいえない。
【発明の開示】
【発明が解決しようとする課題】
【０００７】
この発明は、上記事情に鑑み、感熱体を備え、且つその保護部材を備えた感知ヘッドであって、要求される感知性能を十分に保持しつつ、感熱体を十分に保護することができる感知ヘッドを得ることを目的とする。
【０００８】
上記目的を達成するこの発明について述べれば、それは、放水口を有するヘッド本体と、該放水口を塞ぐ弁体と、該弁体を支持し、火災時の熱により破裂又は溶融する感熱体と、該ヘッド本体に接続され、該感熱体を支持する支持部を有する複数のアームとを備えた感知ヘッドにおいて、正面視で該複数のアーム間に配置され、該感熱体を外力から保護する保護板であって、該感熱体の長さ方向に沿って延設される第１保護板を含む保護板を設けたことを特徴とする感知ヘッドである。
【０００９】
又、前記感知ヘッドであって、該保護板は、該感熱体を間に対向して一対設けられるものであることを特徴とする感知ヘッドである。
【００１０】
又、前記感知ヘッドであって、該保護板は、該感熱体の長さ方向に対し傾斜して延設される第２保護板を含むものであることを特徴とする感知ヘッドである。
【００１１】
又、前記感知ヘッドであって、該保護板はその固定部により感知ヘッドの先端部に固定されるものであることを特徴とする感知ヘッドである。
【００１２】
又、前記感知ヘッドであって、該保護板を固定する固定部には感知ヘッドの先端部を保護する先端保護板が設けられるものであることを特徴とする感知ヘッドである。
【００１３】
又、前記感知ヘッドであって、該一対の保護板は、固定部を介して連続して設けられるものであることを特徴とする感知ヘッドである。
【００１４】
又、前記感知ヘッドであって、該固定部には第１の挿通部が設けられ、該第１の挿通部は、該感知ヘッドの先端部に設けられた先端凸部が挿通されると共に、その挿通縁が該先端凸部にカシメ付けられていることを特徴とする感知ヘッドである。
【００１５】
又、前記感知ヘッドであって、該保護板は、該ヘッド本体と該アームとの接続部分に設けられたフランジ部の側面に当接する当接部を有していることを特徴とする感知ヘッドである。
【００１６】
又、前記感知ヘッドであって、該当接部は、該フランジ部の側面に形成された側方凸部が挿通される第２の挿通部を有していることを特徴とする感知ヘッドである。
【００１７】
又、前記感知ヘッドであって、該第２の挿通部は該側方凸部と嵌合するものであることを特徴とする感知ヘッドである。
【００１８】
又、前記感知ヘッドであって、該保護板において該第１保護板と該第２保護板とが連続して設けられていることを特徴とする感知ヘッドである。
【発明の効果】
【００１９】
この発明においては、感知ヘッドにおいて、正面視で複数のアーム間に配置され、感熱体を外力から保護する保護板であって、感熱体の長さ方向に沿って延設される第１保護板を含む保護板を設けているので、感熱体をその長さ方向に沿って第１保護板で十分に保護することができ、一方第１保護板は感熱体を平面で覆うものであるので、感熱体の感知性能は十分保持することができる。
【００２０】
即ち、この発明によれば、感知ヘッドにおいて、要求される感知性能を十分に保持しつつ、感熱体を十分に保護することができる。
【発明を実施するための最良の形態】
【００２１】
この発明の実施の形態を図１乃至７に基づき説明する。尚、図１は、この発明の感知ヘッドを示し、保護板が装着されている状態における正面図であり、図２は同上の右側面図であり、図３は同上の平面図であり、図４は同上の保護板の展開平面図であり、図５は同上の保護板が装着されていない状態における一部断面正面図であり、図６は同上の他の形態の保護板が装着されている状態における正面図であり、図７は同上の保護板の展開平面図である。
【００２２】
[第１の実施の形態]
先ず図１乃至５に基づきこの発明の第１の実施の形態を説明する。
【００２３】
図５は、感熱体を外力から保護する保護板が装着されていない状態を示すものであるが、同図に示す様に、感知ヘッド１０は、基部外周に図示しない感知ヘッド用配管に接続される螺子部１１、内部に放水口１２を有するヘッド本体１３、放水口１２を塞ぐ弁体１４、弁体１４を支持し、火災時の熱により破裂又は溶融する感熱体１５、ヘッド本体１３に接続され、感熱体１５を支持する支持部としての先端連結部１６を有する左右一対のアーム１７，１７とを有している。
【００２４】
そして、この感知ヘッド１０には、感熱体１５を外力から保護する保護板であって、その第１の形態である保護板１−１が設けられている。即ち、図１の正面図に示される様に、正面視で感知ヘッド１０のアーム１７，１７間に配置され、感熱体１５の長さ方向に沿って延設される第１保護板の一例である垂直保護片２−１と、感熱体１５の長さ方向に対し傾斜して延設される第２保護板の一例である傾斜保護片３−１，３−１によって構成される感熱体保護部１ａ−１を有する保護板１−１が、図２の側面図に示す様に、感熱体１５（図面上はアーム１７の影になっている）を間に対向して一対設けられている。
【００２５】
保護板１−１において、感熱体保護部１ａ−１は、全体としてはホームベース様の形状を有し、その中央に垂直保護片２−１が、それに連続してその左右に傾斜保護片３−１，３−１が一対、正面視でアーム１７，１７間に配置されて設けられている。
【００２６】
又保護板１−１は、ヘッド本体１３とアーム１７，１７との接続部分に設けられたフランジ部１８の側面１８ａに当接する当接部４を有し、且つその当接部４にフランジ部１８の側面１８ａに形成された側方凸部１８ｂが挿通される挿通部４ａを有している。
【００２７】
更に、保護板１−１はその基部に設けられた固定部５によって感知ヘッド１０の先端部１９に固定されるものであるが、感熱体１５を間に対向して一対設けられる保護板１−１，１−１はこの固定部５を介して連続して形成され、本実施の形態においては、この固定部５には感知ヘッド１０の先端部１９側を保護する矩形の先端保護板６が設けられている。即ち、一対の保護板１−１，１−１は、図４の展開正面図に示す様な形状をなしている。
【００２８】
一対の保護板１−１，１−１の固定部５には挿通部７が形成されている。一対の保護板１−１，１−１は、挿通部７に感知ヘッド１０の先端部１９に設けられた先端凸部１９ａが挿通され、挿通縁７ａが先端凸部１９ａにカシメ付けられることで（図１、図２、図３参照）、感知ヘッド１０に固定されている。更に、前記の様に、保護板１−１は、その当接部４の挿通部４ａに感知ヘッド１０の側方凸部１８ｂが挿通嵌合されており、これにより一対の保護板１−１，１−１の両端側は感知ヘッド１０のフランジ部側面１８ａに貼り付く様に固定されて、正面視左右方向からの衝撃に対して、位置ズレが防止され、また、衝撃力を分散できるようになっている。
【００２９】
尚、感知ヘッド１０は、フランジ部側方凸部１８ｂの表面１８ｃ及び保護板１−１の先端保護板６の表面６ａを感知ヘッドに必要な文字表示面としている。文字表示は、必要な文字の刻印、または、文字を記したシールの貼付などによる。
【００３０】
[第２及び第３の実施の形態]
次に図６及び図７に基づきこの発明の第２の実施の形態を説明する。
【００３１】
第２の実施の形態が第１の実施の形態と構成上異なる点は、保護板の形状と、先端保護板を一体に設けていない点にある。第２の実施の形態におけるその他の構成は第１の実施の形態と同様であり、同一図面符号を付してその説明を省略する。
【００３２】
図６及び７に示す様に、第２の実施の形態における保護板１−２は、感熱体１５の長さ方向に沿って延設される第１保護板の一例である垂直保護片２−２と、感熱体１５の長さ方向に対し傾斜して延設される第２保護板の一例である傾斜保護片３−２を有するものであるが、当該垂直保護片２−２及び傾斜保護片３−２によって形成される感熱体保護部１ａ−２の形状が第１の実施の形態とは異なる。
【００３３】
即ち、第２の実施の形態における感熱体保護部１ａ−２は、全体としては錨様の形状を有し、その中央に垂直保護片２−２が、垂直保護片２−２の先端部２ａ−２より連続してその左右に折り返しの傾斜保護片３−２，３−２が一対、正面視でアーム１７，１７間に配置されて設けられている。尚、折り返しの傾斜保護片３−２，３−２の末端３ａ−２，３ａ−２と垂直保護片２−２との間には間隙３ｂ−２，３ｂ−２が形成されている。
【００３４】
更に、この第２の実施の形態における感熱体保護板１−２は、第１の実施の形態における保護板１−１と同様に固定部５によって感知ヘッド１０の先端部１９に固定され、感熱体１５を間に対向して一対設けられる保護板１−２，１−２は固定部５を介して連続して形成され、本実施の形態においては、第１の実施の形態とは異なり、先端保護板６は一体に設けられてはいない。即ち、第２の実施の形態における一対の保護板１−２，１−２は、図７の展開正面図に示す様な形状をなしている。尚、第２の実施の形態においては、先端保護板６を設けるのに代えて、感知ヘッド１０にデフレクタを装着しておいてもよい。つまり、感知ヘッド１０として、既存のデフレクタ付消火用ヘッドを用い、その消火用ヘッドに保護板１−１を装着することができる。なお、第１の実施の形態における保護板１−１にも適用できる。
【００３５】
この発明の感知ヘッド１０は、前記の様に構成され、感熱体１５を間に対向して一対設けられる感熱体保護板１−１，１−１又は１−２，１−２の感熱体保護部１ａ−１，１ａ−１又は１ａ−２，１ａ−２により、正面視で左右一対のアーム１７，１７間において、即ち感熱体１５の前後から、感熱体１５の長さ方向に沿って配設される垂直保護片２−１，２−１又は２−２，２−２により、及び感熱体１５の長さ方向に対して傾斜して配設される傾斜保護片３−１，３−１又は折り返しの傾斜保護片３−２，３−２により、感知体１５を保護することができ、且つその保護を極力開口を設けた平面で行うので、必要以上の感度低下を防止して、感熱体１５の感知性能を要求される範囲に保持することができる。なお、一対のアーム１７方向はアーム１７で保護されており、また、アーム１７により感度が他の方向より悪いことから、敢えて感熱体保護板１−１、１−１又は１−２、１−２では保護していない。
【図面の簡単な説明】
【００３６】
【図１】この発明の感知ヘッドを示し、保護板が装着されている状態における正面図である。
【図２】同上の右側面図である。
【図３】同上の平面図である。
【図４】同上の保護板の展開平面図である。
【図５】同上の保護板が装着されていない状態における一部断面正面図である。
【図６】同上の他の形態の保護板が装着されている状態における正面図である。
【図７】同上の保護板の展開平面図である。
【符号の説明】
【００３７】
１−１    感熱体保護板
１−２    感熱体保護板
１ａ−１  感熱体保護部
１ａ−２  感熱体保護部
２−１    垂直保護片
２−２    垂直保護片
３−１    傾斜保護片
３−２    傾斜保護片
４        当接部
４ａ      挿通部
５        固定部
６        先端保護板
７        挿通部
７ａ      挿通縁
１０      感知ヘッド
１１      螺子部
１２      放水口
１３      ヘッド本体
１４      弁体
１５      感熱体
１６      アーム先端連結部
１７      アーム
１８      フランジ部
１８ａ    フランジ側面
１８ｂ    フランジ側方凸部
１８ｃ    フランジ側方凸部表面
１９      ヘッド先端部
１９ａ    ヘッド先端凸部
【図１】
2007244576.tif 000003
【図２】
2007244576.tif 000004
【図３】
2007244576.tif 000005
【図４】
2007244576.tif 000006
【図５】
2007244576.tif 000007
【図６】
2007244576.tif 000008
【図７】
2007244576.tif 000009